(57)【要約】      （修正有）【課題】扉の前面に液晶表示部が配置されている場合に、庫内の容積を確保しながら、消費電力を抑えることができる冷蔵庫を提供する。【解決手段】冷蔵庫１は、断熱性を有する冷蔵庫本体と、冷蔵庫本体の前面開口部を開閉する扉６と、扉６の前面に設けられている液晶表示部１０と、扉６における液晶表示部１０の内面側に設けられる真空断熱パネル１４を備えている。【選択図】図６
2018115798.tif 000002
【特許請求の範囲】
【請求項１】
断熱性を有する冷蔵庫本体と、
前記冷蔵庫本体の前面開口部を開閉する扉と、
前記扉の前面に設けられている液晶表示部と、
前記扉における前記液晶表示部の内面側に設けられる真空断熱パネルと、
を備えることを特徴とする冷蔵庫。
【請求項２】
前記液晶表示部に光を照射する光照射部は、前記真空断熱パネルの位置とは異なる位置に設けられていることを特徴とする請求項１に記載の冷蔵庫。
【請求項３】
前記液晶表示部は、前記扉の前面に前記液晶表示部を固定する固定部材により固定され、前記光照射部は、前記固定部材に配置されていることを特徴とする請求項２に記載の冷蔵庫。
【請求項４】
前記扉の上方の側面以外の側面にある前記固定部材には、放熱用の孔が設けられていることを特徴とする請求項３に記載の冷蔵庫。
【請求項５】
前記扉は、観音開きで前面開口部を開閉する左側の扉と右側の扉であり、
前記放熱用の孔は、前記左側の扉と前記右側の扉の対面する前記固定部材にそれぞれ設けられ、前記左側の扉の前記放熱用の孔と前記右側の扉の前記放熱用の孔は、前記冷蔵庫本体の奥行方向について、互いにずれた位置に設けられていることを特徴とする請求項４に記載の冷蔵庫。
【請求項６】
前記扉は、観音開きで前面開口部を開閉する左側の扉と右側の扉であり、
前記放熱用の孔は、前記左側の扉と前記右側の扉の対面する前記固定部材にそれぞれ設けられ、前記左側の扉の前記放熱用の孔と前記右側の扉の前記放熱用の孔は、前記冷蔵庫本体の上下方向について、互いにずれた位置に設けられていることを特徴とする請求項４または５に記載の冷蔵庫。
【発明の詳細な説明】
【技術分野】
【０００１】
本発明の実施の形態は、冷蔵庫に関する。
【背景技術】
【０００２】
冷蔵庫の扉の面には、液晶表示部を備えているものがある。この液晶表示部では、例えば各種の情報等を表示や冷蔵庫の機能を操作することができる(特許文献１を参照)。
【先行技術文献】
【特許文献】
【０００３】
【特許文献１】特開２００４−３３３０６９号
【発明の概要】
【発明が解決しようとする課題】
【０００４】
しかし、この液晶表示部が、例えば扉の前面のほぼ全面にわたって設けられると、液晶表示部が熱を発生するので、扉の断熱材の厚みを大きくする必要がある。このため、冷蔵庫の扉の厚みが大きくなることから、庫内の容積を大きく確保しようとすると、冷蔵庫の小型化の妨げになる。
【０００５】
また、冷蔵庫の大型化を避けるために、扉の断熱材の厚みをできるだけ小さくして庫内の容積を大きく確保しようとすると、液晶表示部が発生する熱が、扉を通じて庫内に漏えいするおそれがあり、庫内の温度を保つためには庫内を冷やすための電力がさらに必要になり、消費電力が増大する可能性がある。
【０００６】
本発明は、上記に鑑みてなされたもので、その目的とするところは、扉の前面に液晶表示部が配置されている場合に、庫内の容積を確保しながら、消費電力を抑えることができる冷蔵庫を提供することにある。
【課題を解決するための手段】
【０００７】
本発明の実施の形態の冷蔵庫は、断熱性を有する冷蔵庫本体と、前記冷蔵庫本体の前面開口部を開閉する扉と、前記扉の前面に設けられている液晶表示部と、前記扉における前記液晶表示部の内面側に設けられる真空断熱パネルと、を備えることを特徴とする。
【図面の簡単な説明】
【０００８】
【図１】本発明の第１実施形態に係わる冷蔵庫の全体を示す正面図である。
【図２】図１に示す冷蔵庫の内部構造例を側面側から見た断面を有する模式図である。
【図３】図１と図２に示す冷蔵庫の冷蔵庫本体の上部と、扉の構造例を示す斜視図である。
【図４】扉の構造例を示す斜視図である。
【図５】図４に示す放熱用の孔の好ましい形状例を示す断面図である。
【図６】図３に示す冷蔵庫本体のＲ−Ｒ線における断面図である。
【図７】本発明の第２実施形態を示す一部を省略した観音開き式の冷蔵庫の平面図である。
【図８】本発明の第３実施形態を示す一部を省略した観音開き式の冷蔵庫の正面図である。
【発明を実施するための形態】
【０００９】
以下、図面を用いて、本発明の実施するための形態（以下、実施形態と称する）を説明する。
【００１０】
＜第１実施形態＞
図１は、本発明の第１実施形態に係わる冷蔵庫の全体を示す正面図である。図２は、図１に示す冷蔵庫１の内部構造例を側面側から見た断面を有する模式図である。
【００１１】
図１と図２に示す冷蔵庫１は、冷蔵庫本体２を有している。図２に示すように、この冷蔵庫１の冷蔵庫本体２は、外側側板からなる外箱２Ｒと、内側側板からなる内箱２Ｔを有し、その外箱２Ｒと内箱２Ｔの間には、例えばポリウレタンのような発泡断熱材である断熱材３が配置されている。このため、冷蔵庫本体２は、断熱性を有する。
【００１２】
この冷蔵庫本体２の内部には、複数の貯蔵室が形成されている。複数の貯蔵室としては、例えば、冷凍温度帯に冷却可能な冷凍区画としての冷凍室４が上側に設けられ、この冷凍室４の下には、冷蔵温度帯に冷却可能な冷蔵区画としての冷蔵室５が設けられている。
【００１３】
図２に示すように、片開き式の扉６が、冷凍室４の前面に設けられている。庫の扉６は、冷凍室４の前面開口部４Ａを開閉するために、この扉６の端部が、図示しないヒンジにより、冷蔵庫本体２に対して、回転可能に取り付けられている。同様にして、扉７が、冷蔵室５の前面に設けられている。扉７は、冷蔵室５の前面開口部５Ａを開閉するために、この扉７の端部が、図示しないヒンジにより、冷蔵庫本体２に対して、回転可能に取り付けられている。
【００１４】
図１と図２に示す例では、上に位置する扉６は、下に位置する扉７に比べて面積が小さいが、扉６，７はともに長方形である。扉６の前面には、液晶表示部１０が設けられている。同様にして、扉７の前面には、液晶表示部１１が設けられている。液晶表示部１０，１１は、例えば液晶表示パネル（ＬＣＤ）である。液晶表示部１０は、好ましくは扉６の前面のほぼ全領域もしくは全領域にわたって配置されている。同様にして、液晶表示部１１は、好ましくは扉７の前面のほぼ全領域もしくは全領域にわたって配置されている。
【００１５】
液晶表示部１０，１１は、液晶表示部１０，１１の内面側に、液晶を駆動するための回路基板１２，１３を有する。液晶表示部１０は、例えば冷蔵庫１の冷凍室４の動作に関する情報や冷凍室４の動作を指示するための操作部の表示をカラー表示することができる。液晶表示部１１は、例えば冷蔵庫１の冷蔵室５の動作に関する情報や冷蔵室５の動作を指示するための操作部の表示をカラー表示することができる。液晶表示部１０と回路基板１２は、表示装置を構成し、液晶表示部１１と回路基板１３は、表示装置を構成している。
【００１６】
図１と図２に示すように、液晶表示部１０の内面側（背面側）には、真空断熱パネル１４が配置され、液晶表示部１１の内面側（背面側）には、真空断熱パネル１５が配置されている。
【００１７】
図１では、真空断熱パネル１４，１５の位置は、それぞれ破線で示している。真空断熱パネル１４，１５は、それぞれ長方形状の板状の断熱部材であり、厚みが薄くても高い断熱性を確保することができる。真空断熱パネル１４，１５の構造例を説明すると、真空断熱パネル１４，１５の板状のコア材としては、ポリウレタンフォームやガラスウールを用いており、そのコア材を覆う包装材としては、ラミネートフィルムを用いている。これにより、真空断熱パネル１４，１５は、厚みが薄くても高い断熱性を確保できる。
【００１８】
図１と図２では、矢印のＺ方向は冷蔵庫１の上下方向を示し、矢印のＹ方向は冷蔵庫１の左右方向（幅方向）を示し、矢印のＸ方向は冷蔵庫１の奥行方向を示している。例えば、真空断熱パネル１４のＺ方向の長さとＹ方向の長さは、液晶表示部１０のＺ方向の長さとＹ方向の長さとほぼ同じか少し小さい。例えば、真空断熱パネル１５のＺ方向の長さとＹ方向の長さは、液晶表示部１１のＺ方向の長さとＹ方向の長さとほぼ同じか少し小さい。
【００１９】
図２に示すように、真空断熱パネル１４は、扉６において、液晶表示部１０と回路基板１２と、冷蔵庫本体２の断熱材３との間に配置されている。同様にして、真空断熱パネル１５は、扉７において、液晶表示部１１と回路基板１３と、冷蔵庫本体２の断熱材３との間に配置されている。
【００２０】
これにより、液晶表示部１０と回路基板１２が動作の際に発熱しても、真空断熱パネル１４は、液晶表示部１０と回路基板１２の熱が冷凍室４の断熱材３側へ伝わるのを、阻止する。同様にして、液晶表示部１１と回路基板１３が動作の際に発熱しても、真空断熱パネル１５は、液晶表示部１１と回路基板１３の熱が冷蔵室５の断熱材３側へ伝わるのを、阻止する。
【００２１】
断熱性の高い真空断熱パネル１４が、液晶表示部１０と回路基板１２と冷蔵庫本体２の断熱材３との間に配置され、断熱性の高い真空断熱パネル１５が、液晶表示部１１と回路基板１３と冷蔵庫本体２の断熱材３との間に配置されているので、真空断熱パネル１４，１５を配置しても、冷蔵庫本体２の貯蔵室である冷凍室４と冷蔵室５の内容積を確保できる。
【００２２】
このように、扉６は、液晶表示部１０と回路基板１２と真空断熱パネル１４を有し、扉７は、液晶表示部１１と回路基板１３と真空断熱パネル１５を有しているが、扉６と扉７は、実質的に同じ構造を有しているので、以下の説明では、扉６の構造例を代表して説明する。
【００２３】
図３は、図１と図２に示す冷蔵庫１の冷蔵庫本体２の上部と、扉６の構造例を示す斜視図である。図４は、扉６の構造例を示す斜視図である。
【００２４】
図３に示すように、扉６の片側の端部は、ヒンジ部２０により、冷蔵庫本体２に対して回転可能に取り付けられている。扉６は、長方形状であり、その前面には液晶表示部１０が配置されている。
【００２５】
図３と図４に示すように、扉６は、４つの側面部に、それぞれ固定部材２１，２２，２３，２４を有する。固定部材２１，２２，２３，２４は、例えばプラスチック製の長い板状の部材であり、固定部材２１は扉６の上側の側面に配置され、固定部材２２は扉６の下側の側面に配置されている。そして、固定部材２３は、扉６の左側の側面に配置され、固定部材２４は、扉６の右側の側面に配置されている。
【００２６】
図３と図４に示すように、上側の固定部材２１以外の下側と左右の固定部材２２，２３，２４には、それぞれ複数の放熱用の孔２５が設けられている。複数の放熱用の孔２５は、各固定部材２２，２３，２４の長手方向に沿って配列されている。これにより、各放熱用の孔２５は、上側の固定部材２１以外の下側と左右の固定部材２２，２３，２４に設けられているので、水やほこり等が、放熱用の孔を通じて、液晶表示部１１，１２の内面側に侵入するのを防ぐことができる。
【００２７】
また、扉６において、液晶表示部１０と回路基板１２が動作の際に発熱しても、液晶表示部１０と回路基板１２の熱は、これらの放熱用の孔２５を通じて、扉６の外部に放出することができる。また、液晶表示部１０と回路基板１２が発熱することで、図２の真空断熱パネル１４がこの熱を受けても、この熱もこれらの放熱用の孔２５を通じて、外部に放出することができる。
【００２８】
この放熱構造は、図２に示す扉７においても扉６と同様であり、液晶表示部１１と回路基板１３が動作の際に発熱しても、液晶表示部１１と回路基板１３の熱は、これらの放熱用の孔２５を通じて、扉７の外部に放出することができる。また、液晶表示部１１と回路基板１３が発熱することで、図２の真空断熱パネル１５がこの熱を受けても、この熱もこれらの放熱用の孔２５を通じて、外部に放出することができる。
【００２９】
図５は、図４に示す放熱用の孔２５の好ましい形状例を示す断面図である。図６は、図３に示す冷蔵庫本体２のＲ−Ｒ線における断面図である。
【００３０】
図５に示すように、左右の固定部材２３，２４の各放熱用の孔２５は、水平面２６と、斜め下向きの傾斜面２７を有する。これにより、図２に示す液晶表示部１０と回路基板１２の熱は、図５の放熱用の孔２５を通じて、図５において矢印Ｗで示すように斜め下向きに外部に放出することができる。また、図２の液晶表示部１１と回路基板１３の熱は、図５の放熱用の孔２５を通じて、図５において矢印Ｗで示すように斜め下向きに外部に放出することができる。
【００３１】
しかも、図５の各放熱用の孔２５は、左右の固定部材２３，２４において、斜め下向きに熱を放出するように形成されている。このため、各放熱用の孔が水平に向いている場合に比べて、水やほこり等が、放熱用の孔２５を通じて、図２の扉６の液晶表示部１０と回路基板１２の内面側に侵入するのをさらに阻止できる。このため、扉６の液晶表示部１０と回路基板１２が、水やほこり等の侵入によりショートするのを防ぐことができる。同様にして、各放熱用の孔が水平に向いている場合に比べて、水やほこり等が、放熱用の孔２５を通じて、図２の扉７の液晶表示部１１と回路基板１３の内面側に侵入するのをさらに阻止できる。このため、扉７の液晶表示部１１と回路基板１３が、水やほこり等の侵入によりショートするのを防ぐことができる。
【００３２】
図４に戻ると、上側の固定部材２１には、Ｙ方向に沿って細長い形状の凹部３０が設けられている。この長い凹部３０には、複数のＬＥＤ（発光ダイオード）を有する光照射部３１がはめ込まれている。この光照射部３１の上面は、細長い長方形状の蓋部材３２により覆われている。
【００３３】
図６には、光照射部３１と蓋部材３２が、上側の固定部材２１の凹部３０内に取り付けられている構造例を示している。光照射部３１は、複数のＬＥＤ３１Ｌと基板３１Ｍを有する。複数のＬＥＤ３１Ｌが、この光照射部３１の基板３１Ｍの下面において、間隔をおいて配列されている。
【００３４】
図４と図６に示すように、上側の固定部材２１の凹部３０内には、複数の貫通孔３０Ｈが設けられている。図６に示すように、各ＬＥＤ３１Ｌは、上側の固定部材２１の対応する位置の貫通孔３０Ｈ内に、それぞれはめ込まれている。このように、光照射部３１の光源として好ましくはＬＥＤ（発光ダイオード）を用いると、消費電力が少なく、動作の際の熱容量も抑えることができる。
【００３５】
図６に示すように、光照射部３１は、上側の固定部材２１の凹部３０内に配置されており、光照射部３１のＬＥＤ３１Ｌは、Ｚ１方向に沿って下向きに取り付けられていて、ＬＥＤ３１は、照明用の光をＺ１方向に向けて発生する。
【００３６】
蓋部材３２は、複数の爪部３２Ｔを有している。蓋部材３２が、上側の固定部材２１の凹部３０にはめ込まれると、各爪部３２Ｔは、上側の固定部材２１の係合用の凹部分４１にかみ合う。これにより、蓋部材３２は、上側の固定部材２１の凹部３０にはめ込むだけで、爪３２Ｔ，３２Ｔを用いて、上側の固定部材２１に対して簡単に固定され、蓋部材３２は光照射部３１を覆うことができる。
【００３７】
小型化を図った光照射部３１が上側の固定部材２１内に配置されているので、別途照明用のバックライトを液晶表示部１０，１１の内面側（背面側）に配置して用いる場合に比べて、扉６，７の小型化を図ることができる。
【００３８】
図６に示すように、液晶表示部１０の上端部１０Ａは、上側の固定部材２１の保持用の凹部分４２にはめ込まれることで、扉６の前面において固定されている。図示を省略しているが、液晶表示部１０の下端部と左右端部も同様にして、下側の固定部材２２と左右の固定部材２３，２４の保持用の凹部分にそれぞれはめ込まれることで、扉６の前面において固定されている。
【００３９】
図６に示すように、扉６において、液晶表示部１０の内面側（背面側）には、導光部５０が配置されている。導光部５のさらに内面側（背面側）には、反射フィルム５１が配置されている。反射フィルム５１の内面側（背面側）には、真空断熱パネル１４が配置されている。
【００４０】
例えば、この導光部５０と反射フィルム５１のＺ方向とＹ方向の寸法は、液晶表示部１０のＺ方向とＹ方向の寸法と比べて、ほぼ同じか同じである光学部品である。例えば、導光部５０の上側の光導入用端部５２は、光照射部３１のＬＥＤ３１Ｌに対面している。真空断熱パネル１４のＺ方向とＹ方向の寸法は、導光部５０と反射フィルム５１のＺ方向とＹ方向の寸法と比べて、やや小さいか同じである。このような構造は、扉７においても同様である。
【００４１】
液晶表示部１０，１１に光を照射する光照射部３１は、真空断熱パネル１４の位置とは異なる位置に設けられている。これにより、光照射部３１は、真空断熱パネル１４があっても、液晶表示部１０，１１側に照明用の光を供給できる。光照射部３１は、液晶表示部１０，１１を照明する、いわゆるエッジライトとして用いることができる。
【００４２】
扉６においては、光照射部３１の各ＬＥＤ３１Ｌは、Ｚ１方向に沿って光を発生すると、導光部５０は、各ＬＥＤ３１Ｌからの光を、光透過性を有する回路基板１２を通じて、液晶表示部１０の内面側に導いて、内面側から液晶表示部１０を照明する。この際に、各ＬＥＤ３１Ｌからの光は、反射フィルム５１により液晶表示部１０に向けて反射される。これにより、液晶表示部１０は、エッジライトとしての光照射部３１の各ＬＥＤ３１Ｌからの光を内面側からまんべんなく受けることができるので、液晶表示部１０は、全面にわたってむらなく表示できる。このことは、扉７においても同様である。
【００４３】
なお、図１と図２に示す扉６の構造例と、扉７の構造例は、同様であるので、扉７の対応する箇所には、扉６の対応する箇所と同じ符号を付けて、その説明を省略する。
【００４４】
本発明の第１実施形態の冷蔵庫１では、好ましくは液晶表示部１０，１１が、例えば扉６，７の前面のほぼ全領域もしくは全領域にわたって設けられている。液晶表示部１０，１１とその回路基板が発生する熱は後方に伝導するが、この熱は、真空断熱パネル１４により遮断でき（ストップでき）る。従って、液晶表示部１０，１１とその回路基板１２，１３が発生して後方に伝導した熱と、真空断熱パネル１４で遮断された（ストップされた）熱は、真空断熱パネル１４において、溜まる。このように真空断熱パネル１４で溜まった熱は、扉６，７の下側と左右の固定部材２２，２３，２４へ移動して、固定部材２２，２３，２４の放熱用の孔２５から、扉６，７の外部へ放出することができる。
【００４５】
このため、図２に示す扉６，７における断熱材３の断熱厚を大きくする必要がなく、冷蔵庫１の扉６，７の厚みが大きくならないので、扉６，７の前面に液晶表示部１０，１１がそれぞれ配置されている場合に、庫内の容積を確保しながら、冷蔵庫の小型化に寄与できる。液晶表示部１０，１１とその回路基板１２，１３が発生する熱と、真空断熱パネル１４で遮断した熱は、庫内である冷凍室４と冷蔵室５内に漏えいしないので、庫内の温度を保つことが容易にでき、消費電力の増大を避けることができる。
【００４６】
次に、本発明の別の実施形態を説明する。
【００４７】
図７は、本発明の第２実施形態を示す一部を省略した観音開き式の冷蔵庫１Ａの平面図である。図８は、本発明の第３実施形態を示す一部を省略した観音開き式の冷蔵庫１Ａの正面図である。
【００４８】
＜第２実施形態＞
次に、図７を参照して、本発明の第２実施形態を説明する。
【００４９】
図７に示す冷蔵庫１Ａの冷蔵庫本体２Ａは、観音開き式の２枚の扉６１，６２を備えている。左右の扉６１，６２は、冷蔵庫本体２Ａの例えば冷凍室６３の前面開口部６４を、ヒンジ部６５，６６を用いて開閉可能に閉じている。左右の扉６１，６２の前面には、好ましくはほぼ全領域にもしくは全領域において、それぞれ液晶表示部７１，７２が設けられている。左右の扉６１，６２の構造は、上述した第１実施形態の扉６，７と同様の構造を有している。
【００５０】
左側の扉６１は上側と下側と左右の固定部材８１を有しており、右側の扉６２は上側と下側と左右の固定部材８２を有している。下側と左右の固定部材８１，８２には、それぞれ放熱用の孔２５が設けられている。
【００５１】
ただし、左側の扉６１の右側の固定部材８１に設けられた放熱用の孔２５の位置は、右側の扉６２の左側の固定部材８２に設けられた放熱用の孔２５の位置に対して、冷蔵庫本体２Ａの奥行方向であるＸ方向について、互いにずれた位置に設けられている。すなわち、対面している左側の扉６１の右側の固定部材８１と、右側の扉６２の左側の固定部材８２にそれぞれ設けられている放熱用の孔２５，２５は、Ｘ方向について、互いにずれた位置に設けられている。
【００５２】
これにより、放熱用の孔２５同士は同じ位置で対面しないので、それぞれの放熱用の孔２５から排出される熱が、反対側の放熱用の孔２５に入り込んでしまうのを防ぐことができる。このため、扉６１，６２における放熱能力が阻害されることがない。
【００５３】
＜第３実施形態＞
次に、図８を参照して、本発明の第３実施形態を説明する。
【００５４】
図８に示すように、左側の扉６１の右側の固定部材８１に設けられた放熱用の孔２５の位置は、右側の扉６２の左側の固定部材８２に設けられた放熱用の孔２５の位置に対して、冷蔵庫本体２Ａの上下方向であるＺ方向について、互いにずれた位置に設けられている。これにより、放熱用の孔２５同士は同じ位置で対面しないので、それぞれの放熱用の孔２５から排出される熱が、反対側の放熱用の孔２５に入り込んでしまうのを防ぐことができる。このため、扉６１，６２における放熱能力が阻害されることがない。
【００５５】
なお、上述した図７に示す本発明の第２実施形態と、図８に示す第３実施形態と、を組み合わせることができる。すなわち、左側の扉６１の右側の固定部材８１に設けられた放熱用の孔２５の位置は、右側の扉６２の左側の固定部材８２に設けられた放熱用の孔２５の位置に対して、図７に示すように、冷蔵庫本体２Ａの奥行方向であるＸ方向について、互いにずれた位置に設けられ、しかも図８に示すように、冷蔵庫本体２Ａの上下方向であるＺ方向についても、互いにずれた位置に設けられる。
【００５６】
これにより、対面する右側の固定部材８１と左側の固定部材８２が対面する場合に、それぞれの放熱用の孔２５の位置を、Ｘ方向とＺ方向にずらして配置することで、それぞれの放熱用の孔２５から排出される熱が、反対側の放熱用の孔２５に入り込んでしまうのを防ぐことができる。このため、扉６１，６２における放熱能力が阻害されることがない。
【００５７】
以上説明したように、本発明の実施形態の冷蔵庫１は、断熱性を有する冷蔵庫本体２と、冷蔵庫本体２の前面開口部を開閉する扉６，７と、扉６，７の前面に設けられている液晶表示部１０，１１と、扉６，７における液晶表示部１０，１１の内面側に設けられる真空断熱パネル１４を備える。
【００５８】
これにより、扉の前面に液晶表示部が配置されている場合に、液晶表示部１０，１１とその回路基板が発生する熱は、真空断熱パネル１４により遮断して、その熱が冷凍室４や冷蔵室５内に侵入するのを防ぐことができる。このため、冷蔵庫本体２の庫内の断熱材の厚みを大きくする必要がないので、庫内の容積を確保しながら、消費電力を抑えることができる。
【００５９】
液晶表示部１０，１１に光を照射する光照射部３１は、真空断熱パネル１４の位置とは異なる位置に設けられている。これにより、光照射部３１は、真空断熱パネル１４があっても、液晶表示部１０，１１側に照明用の光を供給できる。光照射部３１は、液晶表示部１０，１１を照明する、いわゆるエッジライトとして用いることができる。光照射部３１の光源として好ましくはＬＥＤ（発光ダイオード）を用いると、消費電力が少なく、熱容量も抑えることができる。
【００６０】
液晶表示部１０，１１は、扉６，７の前面において、液晶表示部１０，１１を固定する固定部材２１，２２，２３，２４により固定され、光照射部３１は、例えば上側の固定部材２１に配置されている。これにより、光照射部３１が上側の固定部材２１に配置されているので、別途照明用のバックライトを、液晶表示部１０，１１の内面側に配置して用いる場合に比べて、扉６，７の小型化を図ることができる。
【００６１】
扉６，７の上方の側面以外の側面にある固定部材２２，２３，２４には、放熱用の孔２５が設けられている。これにより、水やほこり等が、放熱用の孔２５を通じて扉６，７の内部に侵入するのを防止できる。液晶表示部１０,１１と回路基板１２,１３が発熱しても、液晶表示部１０，１１と回路基板１２，１３の熱は、これらの放熱用の孔２５を通じて、外部に放出することができる。
【００６２】
冷蔵庫１Ａの扉が、観音開き式で前面開口部を開閉する左側の扉６１と右側の扉６２である場合には、左側の扉６１の放熱用の孔２５と右側の扉６２の放熱用の孔２５は、冷蔵庫本体２の奥行方向であるＸ方向について、互いにずれた位置に設けられている。これにより、放熱用の孔２５同士は対面しない位置にあるので、それぞれの放熱用の孔２５から排出される熱が、反対側の放熱用の孔２５に入り込んでしまうのを防ぐことができる。このため、扉６１，６２における放熱性が阻害されることがない。
【００６３】
また、冷蔵庫１Ａの扉は、観音開き式で前面開口部を開閉する左側の扉６１と右側の扉６２である場合には、左側の扉６１の放熱用の孔２５と右側の扉６２の放熱用の孔２５は、冷蔵庫本体２の上下方向であるＺ方向について、互いにずれた位置に設けられている。これにより、放熱用の孔２５同士は対面しないので、それぞれの放熱用の孔２５から排出される熱が、反対側の放熱用の孔２５に入り込んでしまうのを防ぐことができる。このため、扉６１，６２における放熱性が阻害されることがない。
【００６４】
以上、本発明の実施形態を説明したが、実施形態は、例として提示したものであり、発明の範囲を限定することは意図していない。新規な実施形態は、その他の様々な態様で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００６５】
図１と図２に示す冷蔵庫１の構造は、一例であり、任意の構造を採用することができる。
【００６６】
図１と図２に示すように、液晶表示部１０は、好ましくは扉６の前面において、扉６の前面のほぼ全領域あるいは全領域にわたって配置されている。同様にして、液晶表示部１１は、好ましくは扉７の前面において、扉７の前面のほぼ全領域あるいは全領域にわたって配置されている。しかし、液晶表示部が、扉の前面の一部の領域に設けられる場合にも、本発明は適用できる。
【００６７】
光照射部３１は、真空断熱パネル１４の位置とは異なる位置であって、扉６，７の上方の側面以外の側面にある固定部材２２，２３，２４に設けられてもよい。
【００６８】
図示の実施形態では、下側と左右の固定部材２２，２３，２４にそれぞれ放熱用の孔２５が設けられているが、これに限らず、左右の固定部材２３，２４だけに放熱用の孔25を設けるようにしてもよい。
【符号の説明】
【００６９】
１      冷蔵庫
１Ａ    冷蔵庫
２      冷蔵庫本体
２Ａ    冷蔵庫本体
２Ｒ    外箱
２Ｔ    内箱
３      断熱材
４      冷凍室
５      冷蔵室
６      扉
７      扉
１０    液晶表示部
１１    液晶表示部
１２    回路基板
１３    回路基板
１４    真空断熱パネル
２１から２４    固定部材
２５    放熱用の孔
３１    光照射部
３２    蓋部材
【図１】
2018115798.tif 000003
【図２】
2018115798.tif 000004
【図３】
2018115798.tif 000005
【図４】
2018115798.tif 000006
【図５】
2018115798.tif 000007
【図６】
2018115798.tif 000008
【図７】
2018115798.tif 000009
【図８】
2018115798.tif 000010